(57)【要約】      （修正有）【課題】ｉＶＤＲ規格に準拠ハードディスクを記録媒体とする放送受信装置等の電子機器において、ＤＬＮＡ／ＤＴＣＰ−ＩＰ等のコンテンツをネットワーク経由で取得し、ハードディスクに記録可能とする。【解決手段】放送コンテンツを受信するチューナ２１と、ネットワークを介してコンテンツを取得するネットワーク接続部２３と、取得したコンテンツを特定の規格に用いられる暗号化方式に従って暗号化または復号化処理するとともに、該コンテンツに付加されたアクセス制限情報とともに記録又は読み出す録画再生制御部２５と、前記ネットワーク接続部を介して取得したコンテンツであって、前記特定の規格と異なる他の規格に基づく暗号化方式に従って暗号化されたコンテンツを復号化するとともに、当該コンテンツに付加されたアクセス制限情報を前記特定の規格に基づくアクセス制限情報に変換して前記録画再生制御部２５に出力する変換処理部２７と、を備えた。【選択図】図４
2012034153.tif 000002
【特許請求の範囲】
【請求項１】
特定の規格に準拠した記録媒体にコンテンツを記録する電子機器であって、
前記電子機器は、
コンテンツを記録するための記録媒体を装着する記録媒体装着部と、外部から取得したコンテンツを出力する出力部と、
放送されるコンテンツを受信して出力するチューナと、
ネットワークを介してコンテンツを取得するネットワーク接続部と、
前記チューナまたはネットワーク接続部を介して取得したコンテンツを、前記特定の規格に用いられる暗号化方式に従って暗号化または復号化処理するとともに、前記暗号化または復号化された前記コンテンツを該コンテンツに付加されたアクセス制限情報とともに前記記録媒体に記録し、又は前記記録媒体から読み出す録画再生制御部と、
前記ネットワーク接続部を介して取得したコンテンツであって、前記特定の規格と異なる他の規格に基づく暗号化方式に従って暗号化されたコンテンツを復号化するとともに、当該コンテンツに付加されたアクセス制限情報を前記特定の規格に基づくアクセス制限情報に変換して前記録画再生制御部に出力する変換処理部と、を備えたことを特徴とする電子機器。
【請求項２】
前記録画再生制御部は、前記チューナ部を介して取得したコンテンツおよび該コンテンツに付加されたアクセス制限情報を前記変換処理部に出力し、
前記変換処理部は、前記録画再生制御部から出力されたコンテンツを、前記特定の規格と異なる他の規格に基づく暗号化方式に従って暗号化するとともに、当該コンテンツに付加されたアクセス制限情報を前記特定の規格と異なる他の規格に基づくアクセス制限情報に変換して前記ネットワーク接続部に出力することを特徴とする請求項１に記載の電子機器。
【請求項３】
前記特定の規格はｉＶＤＲ規格であり、前記特定の規格と異なる他の規格は、ＤＬＮＡ／ＤＴＣＰ−ＩＰ規格であり、前記変換処理部は、ｉＶＤＲ規格とＤＬＮＡ／ＤＴＣＰ−ＩＰ規格に基づいて前記コンテンツおよびアクセス制限情報の変換を行うことを特徴とする請求項１又は請求項２に記載の電子機器。
【請求項４】
前記変換処理部は、前記ＤＬＮＡ／ＤＴＣＰ−ＩＰ規格に基づく暗号化方式に従って暗号化されたコンテンツを復号化する処理または前記録画再生制御部から入力されるコンテンツを前記ＤＬＮＡ／ＤＴＣＰ−ＩＰ規格に基づく暗号化方式に従って暗号化する処理を行う暗号化復号化処理部と、当該コンテンツに付加されたアクセス制限情報を前記ｉＶＤＲ規格に基づくアクセス制限情報またはＤＬＮＡ／ＤＴＣＰ−ＩＰ規格に基づくアクセス制限情報に変換するアクセス制限情報変換処理部と、を含んで構成されることを特徴とする請求項３に記載の電子機器。
【請求項５】
前記変換処理部は、前記ＤＬＮＡ／ＤＴＣＰ−ＩＰ規格に基づく暗号化方式に従って暗号化されたコンテンツを復号化する際、当該コンテンツに付加されたアクセス制限情報を前記ｉＶＤＲ規格に基づくアクセス制限情報にアクセス制限情報に変換するアクセス制限情報に変換する処理において、前記コンテンツを再生する機器を制限する機器情報を除外して変換することを特徴とする請求項３に記載の電子機器。
【発明の詳細な説明】
【技術分野】
【０００１】
本発明は、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）と称する国際規格に準拠して規格化されたカートリッジタイプのハードディスクを記録媒体とする放送受信装置等の電子機器に関するものであり、特に、他の規格によってコンテンツの著作権保護が図られた記録媒体からコンテンツを取得して著作権保護の状態を変更することなくコンテンツを変換してｉＶＤＲに記録するようにした放送受信装置等の電子機器に関するものである。
【背景技術】
【０００２】
近年、映像、音楽、プログラム等の多様なコンテンツがデータ配信、テレビジョン放送等を介して記憶媒体に記録され、情報家電機器、車載機器、モバイル機器等の各種機器において再生されて利用されている。そして、この種のコンテンツはデータの高品質・高画質化が進みデータ量が格段に大きくなってきているため、これを記録するためには大容量の記憶媒体を必要とする。また、一般に提供される優良なコンテンツを拡大するためには、コンテンツの違法な複製を制限するなど、著作権を有効に保護する技術が併せて提供されなければならない。さらには、ユーザにとっては、持ち運びが自由にできる記憶媒体にコンテンツを保存し、任意の電子機器にその記憶媒体を接続（装着）して利用したいという要求もある。
【０００３】
これらのコンテンツの取得方法も、放送を通じて受信する方法の他、インターネットを介して取得する方法があり、また、取得したコンテンツを異なるデジタル家電機器で相互に利用するため、それらを家庭内のネットワークを通じて相互接続可能とする技術も提供されている。例えば、デジタル家電を相互接続する環境を提供する技術として、デジタルリビングネットワークアライアンス（ＤＬＮＡ）がある。また、無線ローカルエリアネットワーク（ＬＡＮ）、ＩＥＥＥ１３９４規格によるネットワークを構成することができる。ＤＬＮＡを用いたコンテンツ送受信装置は、例えば、下記の特許文献１（特開２００８−２９４５６２号公報）に開示されている。
【０００４】
また、コンテンツの著作権を保護するため、受信したコンテンツの保存、複製を制限するための各種の規格が提案されている。例えば、下記の特許文献２（特開２００７−２９５４６２号公報）には、ネットワークを介してコンテンツをストリーミング再生するための規格として提案されている「ＤＴＣＰ  ｏｖｅｒ  ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  ｉｎｔｅｒｎｅｔ  Ｐｒｏｔｏｃｏｌ）」を用いた録画予約装置の発明が開示されている。この規格に準拠すれば、コンテンツの著作権保護を行うことができる。
【０００５】
また、下記の特許文献３（特開２０１０−２８２３９号公報）には、ストリーミングコンテンツ提供者が意図したコピー制御を可能とする録画装置およびシステムの発明が開示されている。この録画装置およびシステムは、コンテンツプロバイダから提供されるコンテンツを衛星放送波あるいはインターネット等を介してストリーム配信するストリーミングサーバと、一般家庭等に設置されてストリーミングサーバにアクセスすることにより、ストリーミングサーバから配信されるコンテンツを受信可能な機器（例えばセットトップボックス：ＳＴＢ）あるいはパソコン（ＰＣ）等からなるクライアント端末と、クライアント端末との間で適宜接続されて、クライアント端末に対してストリーミングサーバから配信される暗号化コンテンツを利用可能にするための鍵情報等を配布するＤＲＭ（Ｄｉｇｉｔａｌ  Ｒｉｇｈｔｓ  Ｍａｎａｇｅｍｅｎｔ：デジタル著作権管理）認証サーバと、クライアント端末により再生されたコンテンツの映像及び音声を表示出力あるいは記録するＴＶ／録画機器等から構成されたものである。
【０００６】
また、下記の特許文献４（特開２００５−３４６８０６号公報）には、トラックに沿ってのデータの書き換えを行うソフトウエアを変更することなく、ＣＰＲＭ対応の光ディスクの再生を不能化するＤＶＤレコーダおよび記録再生装置の発明が開示されている。このＤＶＤレコーダおよび記録再生装置は、ＤＶＤに記録された大量のデータが不正にコピーされることを防止するものであり、ＤＶＤ−ＲＷにコンテンツを記録（録画）する場合、あるいは、ＤＶＤ−ＲＷに記録されたコンテンツの場合、Ｖｉｄｅｏ  Ｒｅｃｏｒｄｉｎｇ  ＦｏｒｍａｔにおけるＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）によって、再生を許可するかどうか、および、コピーを許可するかどうかを管理するようになっている。そして、これらの管理に関する情報は、ＤＶＤ−ＲＷのトラックに記録された情報と、ＮＢＣＡ（Ｎａｒｒｏｗ  Ｂｕｒｓｔ  Ｃｕｔｔｉｎｇ  Ａｒｅａ）にレーザカッティングによって記録された情報（以下ではカッティングデータと称する）とで示されるようになっている。
【０００７】
これらの著作権保護の方式は、それぞれが標準として規格化されたものである。従って、ネットワークを通してコンテンツを送信する際に用いられる暗号化の方式、コンテンツを記録、保存（録画、録音）する際のコピー制限の方式もそれぞれ異なり、それぞれの規格において定められたアクセス制限情報に基づいてコンテンツの録画、再生、コンテンツの送受信等が行われる。すなわち、ある規格に準拠した電子機器の間ではコンテンツを記録、再生し、あるいは、コンテンツを送受信することができるが、他の規格に準拠した電子機器との間の互換性はない。当然に電子機器メーカーが独自に定めた著作権保護の方式とも互換性はない。また、著作権保護の制御を行うにあたって、録画、再生機器を制限する方式もあり、録画した電子機器を特定し、その電子機器においてのみ再生を可能とする制御を行う場合もある。
【先行技術文献】
【特許文献】
【０００８】
【特許文献１】特開２００８−２９４５６２号公報
【特許文献２】特開２００７−２９５４６２号公報
【特許文献３】特開２０１０−２８２３９号公報
【特許文献４】特開２００５−３４６８０６号公報
【発明の概要】
【発明が解決しようとする課題】
【０００９】
ところで、映像、音楽、プログラム等のコンテンツはデータ量が大きくなるため、これを保存する記録媒体も必然的に大きな記憶容量のものが要求されるようになってきており、また、保存したコンテンツを可搬できることが利用上便利であることから、録画装置、放送受信装置やＰＣなどの電子機器に着脱自在に装着可能な記録媒体も提案されている。例えば、ＵＳＢやＬＡＮ接続機能を有するハードディスク装置（ＵＳＢＨＤＤやらＬＡＮＨＤＤ）である。これらのハードディスク装置はＵＳＢケーブルやＬＡＮケーブルを用いてＵＳＢやＬＡＮ対応のハブに接続して使用しなければならないという不便さがある。
【００１０】
テレビジョン放送やネットワークを介して提供される映像、音楽、プログラム等の多様なコンテンツを利用する際、コンテンツの提供者にとっては著作権が有効に保護されることが重要である。そこで、コンテンツの保存に際してコンテンツの著作権を効果的に保護するために、上記特許文献１〜特許文献３に記載されたような各種の規格、あるいは、ｉＶＤＲ規格などが存在する。
【００１１】
また、コンテンツの著作権保護を図りつつ、コンテンツを持ち運び可能な記憶媒体に保存できるようにした放送受信装置も提供されている。例えば、上記のｉＶＤＲ規格に準拠した録画装置、放送受信装置などの電子機器はその１つであり、また、ＵＳＢ接続可能なハードディスクユニット（ＵＳＢＨＤＤ）にコンテンツを保存（録画）できるようにした電子機器も市場に提供されている。
【００１２】
ｉＶＤＲ規格に準拠した、ハードディスクを記録媒体とするカートリッジを図５、図６を参照して説明する。図５はｉＶＤＲ規格に基づいたカートリッジの外観を示す斜視図である。このカートリッジ１００は、図５で示すように、幅Ｗが８０ｍｍ、長さＬが１１０ｍｍ、厚みＳが１２，７ｍｍの矩形で単純な形状のハウジング１０１からなり、ハードディスクドライブを内蔵したものである。
【００１３】
図６は図５において示すカートリッジの平面図又は断面図であり、図６（ａ）はカートリッジの外観を示す平面図、図６（ｂ）は図５における線Ｅ−Ｅを断面としてカートリッジのハウジング底面を除去した平面図である。このハウジング１０１の一側面にはカートリッジ側コネクタが設けられている。カートリッジ１００は、録画装置、情報家電機器等の電子機器に内蔵されたカートリッジ装着装置に着脱自在に装着され、カートリッジ側コネクタとカートリッジ装着装置側のコネクタとが接続されるようになっている。
【００１４】
図５に示すカートリッジを装着可能とした電子機器は、例えば、録画装置である。この規格に準拠したカートリッジ（リムーバブルＨＤＤ）は、映像、音楽、プログラム等のコンテンツの保存し、かつ保存したコンテンツを可搬して他の電子機器において利用可能とするものであるから、ｉＶＤＲにおける規格には、当然にコンテンツの暗号化方式や複製の制限に関する規格が定められている。このようなｉＶＤＲの機能、規格の概要は「ｉＶＤＲコンソーシアム」が開設しているホームページ（ｈｔｔｐ：／／ｗｗｗ．ｉｖｄｒ．ｏｒｇ／ｊｐ／）に公開されている。
【００１５】
図７は、図５に示すカートリッジを装着可能とした録画装置などの電子機器２００の構成を示すブロック図である。電子機器２００は、チューナ２１１、ｉＶＤＲ規格に基づくカートリッジ１００が装着されるｉＶＤＲ装着部２１２、ネットワーク接続部２１３、視聴制御部２１４、録画再生制御部２１５、ＷＥＢブラウザ２１６、映像音声出力部２１８を備えて構成されている。
【００１６】
チューナ２１１は、ユーザによって選択されたチャンネルの放送波を受信し、視聴制御部２１４を介して映像音声出力部２１８に送り、映像音声出力部２１８から出力された出力信号はテレビジョン装置等の機器に送信される。これらの各部の機能は一般的な録画装置の機能と同様である。また、電子装置２００は、ネットワーク接続機能を有しており、ネットワーク接続部２１３を介してインターネットや家庭内ネットワークに接続し、ＷＥＢブラウザ２１６を用いてネットワーク上の所望のコンテンツを特定し、映像音声出力部２１８を用いて出力することができる。
【００１７】
チューナ２１１を介して受信され放送波は録画再生制御部２１５を介してｉＶＤＲ装着部２１２に装着されたカートリッジ１００に記録（録画保存）される。従って、録画再生制御部２１５の機能、作用は、通常の録画装置と異なり、ｉＶＤＲ規格に準拠した録画生成処理の制御を行う。すなわち、録画再生制御部２１５はｉＶＤＲ規格によって定められた暗号方式に基づいてコンテンツを暗号化してカートリッジ１００に記録する。また、カートリッジ１００に記録されたコンテンツを読み出して再生処理する際には、該暗号化方式に基づいてコンテンツを復号化し、映像音声出力部２１８から出力する。また、録画再生制御部２１５は、コンテンツにｉＶＤＲ規格に基づく著作権保護のためのアクセス制限情報が付与されている場合には、当該アクセス制限情報に基づいた録画再生処理を行う。
【００１８】
一方、ＵＳＢ接続可能なハードディスクユニット（ＵＳＢＨＤＤ）にコンテンツを保存（録画）できるようにした録画装置や放送受信装置の例としては、例えば、上記のＤＬＮＡおよびＤＴＣＰ−ＩＰ規格に対応した録画装置、放送受信装置（以下、放送受信装置Ａという）が電機メーカーにより提供されている。この放送受信装置Ａにおいては、放送波を受信して取得したコンテンツをＵＳＢＨＤＤに記録（録画）することができる。従って、ユーザはＵＳＢＨＤＤに保存したコンテンツを他の電子機器に接続して利用することは可能であるが、ＵＳＢＨＤＤへのコンテンツ記録に際して当該メーカーが独自に採用したローカルの暗号方式を用いてコンテンツの著作権保護を行っているため、他のメーカーのテレビジョン装置などとは互換性がなく、また、パーソナルコンピュータ（ＰＣ）に接続しても記録されたコンテンツを再生できない場合があるという不便さがあった。
【００１９】
しかし、この放送受信装置Ａは、ＤＬＮＡ／ＤＴＣＰ−ＩＰ規格に対応するものであり、放送受信装置Ａにおいては、ＤＬＮＡ／ＤＴＣＰ−ＩＰサーバ機能を有するＬＡＮＨＤＤに直接コンテンツを記録、保存することはできないが、ＤＬＮＡ／ＤＴＣＰ−ＩＰサーバ機能を介することにより、ローカル暗号方式でＵＳＢＨＤＤに記録されたコンテンツをＤＬＮＡ／ＤＴＣＰ−ＩＰ規格に対応するＬＡＮＨＤＤに転送して記録することができる。その際、コンテンツの著作権保護情報はＤＬＮＡ／ＤＴＣＰ−ＩＰサーバに引き継がれる。また、ＤＬＮＡ／ＤＴＣＰ−ＩＰサーバ機能を有するＬＡＮＨＤＤに予め記録されたコンテンツは再生することができる。
【００２０】
ＤＬＮＡ／ＤＴＣＰ−ＩＰ規格に準拠した機器間ではコンテンツのコピーやムーブが可能であり、ＤＬＮＡ／ＤＴＣＰ−ＩＰサーバ機能を有するＬＡＮＨＤＤに記録（保存）したコンテンツは、ＤＬＮＡ／ＤＴＣＰ−ＩＰクライアント機能を有する放送受信装置や録画再生装置などのプレイヤーで再生することができる。しかしながら、ＵＳＢＨＤＤへの記録と同様にＬＡＮＨＤＤへの記録時にローカルな暗号方式が使用されるため、このＬＡＮＨＤＤをＰＣに接続しても保存されたコンテンツを再生することはできないという不便さがあった。
【００２１】
すなわち、前述の放送受信装置ＡにおいてはＤＬＮＡ／ＤＴＣＰ−ＩＰ規格に対応しており、ＵＳＢＨＤＤに著作権保護のためのアクセス制限情報が設定されたコンテンツを記録することはでき、物理的に記憶媒体を持ち運びすることは可能であるが、他の機器に接続した記録されたコンテンツを利用するには種々の制約があり、必ずしも記録されたコンテンツ自体を利用可能な状態で可搬できるものではないという問題点があった。
【００２２】
これに対して、上記のｉＶＤＲ規格に準拠したカートリッジおよび当該カートリッジを採用した電子機器に機器は高い互換性がある。特に、デジタル放送の録画、再生においては、機器互換を特長とするコンテンツ保護技術（ＳＡＦＩＡ：Ｓｅｃｕｒｉｔｙ  Ａｒｃｈｉｔｅｃｔｕｒｅ  Ｆｏｒ  Ｉｎｔｅｌｌｉｇｅｎｔ  Ａｔｔａｃｈｍｅｎｔ  ｄｅｖｉｃｅ）に対応しており、デジタルＴＶ機器の互換性に関して利便性が高いものになっている。
【００２３】
この機器によれば、カートリッジに記録したコンテンツは、ｉＶＤＲに準拠した放送受信装置であれば、例え、他のメーカーの放送受信装置に買い換えた場合でもカートリッジに記録したコンテンツを再生することができる。しかしながら、ｉＶＤＲに準拠した機器においては、他のＤＬＮＡ／ＤＴＣＰ−ＩＰ規格に従ってＵＳＢＨＤＤなどの可搬型記録媒体に記録されたコンテンツを扱うことはできないという問題点があった。
【００２４】
本発明は、上記の問題点に鑑みてなされたものであり、機器互換性の高い、ｉＶＤＲ規格に準拠して規格化されたカートリッジタイプのハードディスクを記録媒体とする放送受信装置等の電子機器において、ＤＬＮＡ／ＤＴＣＰ−ＩＰ等の規格に従って可搬型の記憶媒体に記録されたコンテンツをカートリッジタイプのハードディスクに記録可能とすることによって、記憶媒体およびそれに記録されたコンテンツを持ち運びできるようにすることを目的とする。
【課題を解決するための手段】
【００２５】
前記課題を解決するために、本願の請求項１にかかる発明は、特定の規格に準拠した記録媒体にコンテンツを記録する電子機器であって、前記電子機器は、コンテンツを記録するための記録媒体を装着する記録媒体装着部と、外部から取得したコンテンツを出力する出力部と、放送されるコンテンツを受信して出力するチューナと、ネットワークを介してコンテンツを取得するネットワーク接続部と、前記チューナまたはネットワーク接続部を介して取得したコンテンツを、前記特定の規格に用いられる暗号化方式に従って暗号化または復号化処理するとともに、前記暗号化または復号化された前記コンテンツを該コンテンツに付加されたアクセス制限情報とともに前記記録媒体に記録し、又は前記記録媒体から読み出す録画再生制御部と、前記ネットワーク接続部を介して取得したコンテンツであって、前記特定の規格と異なる他の規格に基づく暗号化方式に従って暗号化されたコンテンツを復号化するとともに、当該コンテンツに付加されたアクセス制限情報を前記特定の規格に基づくアクセス制限情報に変換して前記録画再生制御部に出力する変換処理部と、を備えたことを特徴とする。
【００２６】
また、本願の請求項２に係る電子機器は、請求項１に係る電子機器において、前記録画再生制御部は、前記チューナ部を介して取得したコンテンツおよび該コンテンツに付加されたアクセス制限情報を前記変換処理部に出力し、前記変換処理部は、前記録画再生制御部から出力されたコンテンツを、前記特定の規格と異なる他の規格に基づく暗号化方式に従って暗号化するとともに、当該コンテンツに付加されたアクセス制限情報を前記特定の規格と異なる他の規格に基づくアクセス制限情報に変換して前記ネットワーク接続部に出力することを特徴とする。
【００２７】
また、本願の請求項３に係る電子機器は、請求項１又は請求項２に係る電子機器において、  前記特定の規格はｉＶＤＲ規格であり、前記特定の規格と異なる他の規格は、ＤＬＮＡ／ＤＴＣＰ−ＩＰ規格であり、前記変換処理部は、ｉＶＤＲ規格とＤＬＮＡ／ＤＴＣＰ−ＩＰ規格に基づいて前記コンテンツおよびアクセス制限情報の変換を行うことを特徴とする。
【００２８】
また、本願の請求項４に係る電子機器は、請求項３に係る電子機器において、前記変換処理部は、前記ＤＬＮＡ／ＤＴＣＰ−ＩＰ規格に基づく暗号化方式に従って暗号化されたコンテンツを復号化する処理または前記録画再生制御部から入力されるコンテンツを前記ＤＬＮＡ／ＤＴＣＰ−ＩＰ規格に基づく暗号化方式に従って暗号化する処理を行う暗号化復号化処理部と、当該コンテンツに付加されたアクセス制限情報を前記ｉＶＤＲ規格に基づくアクセス制限情報またはＤＬＮＡ／ＤＴＣＰ−ＩＰ規格に基づくアクセス制限情報に変換するアクセス制限情報変換処理部と、を含んで構成されることを特徴とする。
【００２９】
また、本願の請求項５に係る電子機器は、請求項３に係る電子機器において、前記変換処理部は、前記ＤＬＮＡ／ＤＴＣＰ−ＩＰ規格に基づく暗号化方式に従って暗号化されたコンテンツを復号化する際、当該コンテンツに付加されたアクセス制限情報を前記ｉＶＤＲ規格に基づくアクセス制限情報にアクセス制限情報に変換するアクセス制限情報に変換する処理において、前記コンテンツを再生する機器を制限する機器情報を除外して変換することを特徴とする。
【発明の効果】
【００３０】
請求項１に係る発明においては、特定の規格に準拠した記録媒体にコンテンツを記録する電子機器であって、コンテンツを記録するための記録媒体を装着する記録媒体装着部を備え、録画再生制御部は、チューナまたはネットワーク接続部を介して取得したコンテンツを、前記特定の規格に用いられる暗号化方式に従って暗号化または復号化処理するとともに、前記暗号化または復号化された前記コンテンツを該コンテンツに付加されたアクセス制限情報とともに前記記録媒体に記録し、又は前記記録媒体から読み出す。変換処理部は、ネットワーク接続部を介して取得したコンテンツであって、前記特定の規格と異なる他の規格に基づく暗号化方式に従って暗号化されたコンテンツを復号化するとともに、当該コンテンツに付加されたアクセス制限情報を前記特定の規格に基づくアクセス制限情報に変換して録画再生制御部に出力する。
【００３１】
このような構成によれば、変換処理部により、ネットワークを介して特定の規格、例えばｉＶＤＲ規格と異なる他の規格、例えば、ＤＬＮＡ／ＤＴＣＰ−ＩＰ規格に従って記録されたコンテンツを復号化するとともにコンテンツに付加されているアクセス制限情報をｉＶＤＲ規格におけるアクセス制限情報に変換して、録画再生制御部に出力し、チューナを介して受信したコンテンツと同様にして録画再生制御部によりｉＶＤＲ用の記録媒体に記録することができる。従って、機器互換の高い媒体にコンテンツを記録することができ、コンテンツの持ち運びが可能になる。
【００３２】
請求項２に係る発明においては、請求項１に係る電子機器において、録画再生制御部は、前記チューナ部を介して取得したコンテンツおよび該コンテンツに付加されたアクセス制限情報を前記変換処理部に出力し、前記変換処理部は、前記録画再生制御部から出力されたコンテンツを、前記特定の規格、例えばｉＶＤＲ規格と異なる他の規格に基づく暗号化方式に従って暗号化するとともに、当該コンテンツに付加されたアクセス制限情報を前記ｉＶＤＲ規格と異なる他の規格に基づくアクセス制限情報に変換して前記ネットワーク接続部に出力する。
【００３３】
このような構成によれば、チューナを介して取得したコンテンツを、録画再生制御部を介して変換処理部に送り、変換処理部において、録画再生制御部から送られたコンテンツを、特定の規格、例えばｉＶＤＲ規格と異なる規格、例えば、ＤＬＮＡ／ＤＴＣＰ−ＩＰの規格に基づいた鍵を用いて暗号化し、ネットワーク接続部を介して接続したＤＬＮＡ／ＤＴＣＰ−ＩＰの規格に準拠したＬＡＮＨＤＤなどを記録先として記録させることができるようになる。その際、ｉＶＤＲの規格に基づいたアクセス制限情報も、ＤＬＮＡ／ＤＴＣＰ−ＩＰの規格に基づいたアクセス制限情報に変換され、暗号化されたコンテンツに付加されるからコピー回数等の著作権保護の機能が損なわれることはない。
【００３４】
請求項３に係る発明においては、請求項１又は請求項２に係る電子機器において、前記特定の規格はｉＶＤＲ規格であり、前記特定の規格と異なる他の規格は、ＤＬＮＡ／ＤＴＣＰ−ＩＰ規格であり、前記変換処理部は、ｉＶＤＲ規格とＤＬＮＡ／ＤＴＣＰ−ＩＰ規格に基づいて前記コンテンツおよびアクセス制限情報の変換を行う。従って、ＤＬＮＡ／ＤＴＣＰ−ＩＰ規格に準拠したＵＳＢＨＤＤに記録されたコンテンツを、ネットワークを介して取得し、ｉＶＤＲ用の記録媒体に記録することができるようになる。
【００３５】
請求項４に係る発明においては、請求項３に係る電子機器において、前記変換処理部は、前記ＤＬＮＡ／ＤＴＣＰ−ＩＰ規格に基づく暗号化方式に従って暗号化されたコンテンツを復号化する処理または前記録画再生制御部から入力されるコンテンツを前記ＤＬＮＡ／ＤＴＣＰ−ＩＰ規格に基づく暗号化方式に従って暗号化する処理を行う暗号化復号化処理部と、当該コンテンツに付加されたアクセス制限情報を前記ｉＶＤＲ規格に基づくアクセス制限情報またはＤＬＮＡ／ＤＴＣＰ−ＩＰ規格に基づくアクセス制限情報に変換するアクセス制限情報変換処理部と、を含んで構成される。
【００３６】
このような構成によれば、ネットワークを介してＤＬＮＡ／ＤＴＣＰ−ＩＰ規格に従って記録されたコンテンツを復号化するとともにコンテンツに付加されているアクセス制限情報をｉＶＤＲ規格におけるアクセス制限情報に変換して、録画再生制御部に出力し、チューナを介して受信したコンテンツと同様にして録画再生制御部によりｉＶＤＲ用のハードディスクに記録することができるようになる。また、チューナを介して取得したコンテンツを、録画再生制御部を介して変換処理部に送り、変換処理部において、録画再生制御部から送られたコンテンツを、ＤＬＮＡ／ＤＴＣＰ−ＩＰの規格に基づいた鍵を用いて暗号化し、ネットワーク接続部を介して接続したＤＬＮＡ／ＤＴＣＰ−ＩＰの規格に準拠したＬＡＮＨＤＤなどを記録先として記録させることができるようになる。
【００３７】
請求項５に係る発明においては、請求項３に係る電子機器において、前記変換処理部は、前記ＤＬＮＡ／ＤＴＣＰ−ＩＰ規格に基づく暗号化方式に従って暗号化されたコンテンツを復号化する際、当該コンテンツに付加されたアクセス制限情報を前記ｉＶＤＲ規格に基づくアクセス制限情報にアクセス制限情報に変換するアクセス制限情報に変換する処理において、前記コンテンツを再生する機器を制限する機器情報を除外して変換する。従って、ｉＶＤＲ規格における高い機器互換性を損なうことがなく、コンテンツを持ち運びすることができるようになる。
【図面の簡単な説明】
【００３８】
【図１】本発明の実施例に係るカートリッジ装着装置を備えた放送受信装置であって、カートリッジの装着前の状態を示す斜視図である。
【図２】図１における放送受信装置の背面図である。
【図３】図１における放送受信装置であって、カートリッジの装着状態を示す斜視図である。
【図４】本発明の実施例に係る放送受信装置の構成を示すブロック図である。
【図５】ｉＶＤＲ規格に準拠して規格化されたカートリッジタイプのハードディスクの外観を示す斜視図である。
【図６】図５において示すカートリッジの平面図又は断面図であり、（ａ）はカートリッジの外観を示す平面図であり、（ｂ）は図５における線Ｅ−Ｅを断面としてカートリッジのハウジング底面を除去した平面図である。
【図７】図５に示すカートリッジを装着可能とした従来の放送受信装置の構成を示すブロック図である。
【発明を実施するための形態】
【００３９】
以下、本発明の具体例を実施例及び図面を用いて詳細に説明する。但し、以下に示す実施例は、本発明の技術思想を具体化するためのカートリッジ装着装置を備えた電子機器を例示するものであって、本発明をこのカートリッジ装着装置及び電子機器に特定することを意図するものではなく、特許請求の範囲に含まれるその他の実施形態のカートリッジ装着装置及び電子機器にも等しく適用し得るものである。
【実施例】
【００４０】
図１は本発明の実施例に係るカートリッジ装着装置を備えた電子機器であって、カートリッジの装着前の状態を示す斜視図、図２は図１における電子機器の背面図、図３は図１における電子機器であって、カートリッジの装着状態を示す斜視図である。なお、以下に説明する実施例における電子機器は、映像、音楽などのコンテンツを録画、再生するための録画装置を例にとり説明するが、ＰＣなどの電子機器であってもよい。また、本実施例にかかる電子機器は、ｉＶＤＲと称する国際規格に準拠して規格化されたカートリッジタイプのハードディスクを記録媒体とする電子機器である。
【００４１】
本発明の実施例に係る電子機器２０は、図１で示すように、カートリッジ１００を電子機器２０に内蔵されたカートリッジ装着部に挿入するためのスロット２０１が前面に設けられている。カートリッジ１００は、図５、図６に示したものであり、図５、図６に示すカートリッジと同一部分には同一の参照符号を付してある。
【００４２】
電子機器２０には、スロット２０１に隣接して電源ボタン２０２、リモートコントロール用の赤外線センサー２０３、ｉＶＤＲ動作表示ランプ２０４、録画予約表示ランプ２０５、通電表示ランプ２０６が設けられている。スロット２０１は、図３で示すように、装着状態のカートリッジ１００を取出す際につまむことができるように切り欠かれており、カートリッジ１００部分が露出している。
【００４３】
本発明に適用されるｉＶＤＲ規格に基づいたカートリッジ１００は、所定規格のハウジング１０１からなり、ハウジング１０１の両側面にはガイドレール１０３が形成され、図１で示すようにカートリッジ１００がカートリッジ装着装置の挿入口２０１に挿入するようになっている。ガイドレール１０３にはロック用の凹部１０４が形成され、図３で示すカートリッジ１００の装着状態でカートリッジ装着部（図示せず）のロック機構の突起（図示せず）が係合するようになっている。
【００４４】
電子機器２０の側面にはＢ−ＣＡＳ（登録商標）カードを挿入するためのスロットを覆うスロットカバー２０７が設けられている。また、図２で示すように、電子機器２０の背面には、ＡＣ電源入力端子２０８、アンテナ入力端子２０９、アンテナ出力端子２１０、映像出力端子２１１、音声出力端子２１２、デジタル映像・音声を入出力するためのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子２１３、排熱口２１４等が設けられている。
【００４５】
電子機器２０は、受信された映像信号等をカートリッジ１００内のハードディスクに記録し、またハードディスクに記録した記録情報を再生するレコーダである。このため、電子機器２０は、アンテナ入力端子２０９やＨＤＭＩ端子２１３等から入力された映像信号、音声信号を受信するための信号受信回路、カートリッジ１００が電子機器２０に装着されると受信された映像信号等をハードディスクに記録したり、ハードディスクに記録された映像信号を再生したりするための信号処理回路等を備えている。
【００４６】
図４は、カートリッジ１００を装着可能とした電子機器２０の構成を示すブロック図である。電子機器２０は、チューナ２１、ｉＶＤＲ規格に基づくカートリッジ１００が装着されるｉＶＤＲ装着部２２、ネットワーク接続部２３、視聴制御部２４、録画再生制御部２５、ＷＥＢブラウザ２６、変換処理部２７、映像音声出力部２８を備えて構成されている。
【００４７】
チューナ２１は、ユーザによって選択されたチャンネルの放送波を受信し、視聴制御部２４を介して映像音声出力部２８に送り、映像音声出力部２８から出力された出力信号はテレビジョン受像機（ＴＶ）等の機器に送信される。また、電子機器２０は、ネットワーク接続機能を有しており、ネットワーク接続部２３を介してインターネットや家庭内ネットワークに接続し、ＷＥＢブラウザ２６を用いてネットワーク上の所望のコンテンツを特定し、映像音声出力部２８を用いて出力することができる。これらの各部の機能は、ネットワーク接続機能を備えた一般的な録画装置の機能と同様である。
【００４８】
チューナ２１を介して受信された放送波は録画再生制御部２５を介してｉＶＤＲ装着部２２に装着されたカートリッジ１００に記録（録画保存）される。従って、録画再生制御部２５の機能、作用は、通常の放送受信装置と異なり、ｉＶＤＲ規格に準拠した録画生成処理の制御を行う。すなわち、録画再生制御部２５はｉＶＤＲ規格によって定められた暗号方式に基づいてコンテンツを暗号化してカートリッジ１００に記録する。また、カートリッジ１００に記録されたコンテンツを読み出して再生処理する際には、該暗号化方式に基づいてコンテンツを復号化し、映像音声出力部２８から出力する。また、録画再生制御部２５は、コンテンツにｉＶＤＲ規格に基づく著作権保護のためアクセス制限情報が付与されている場合には、当該アクセス制限情報に基づいた録画再生処理を行う。
【００４９】
ここで、本実施例に係る電子機器２０は、従来のｉＶＤＲ規格に準拠した電子機器（図７参照）と比較してネットワーク接続部２３を介してインターネットや家庭内ネットワークから他の電子機器に保存された、あるいは、ＵＳＢＨＤＤやＬＡＮＨＤＤに保存されたコンテンツを取得してｉＶＤＲ規格に基づいたコンテンツに変換する変換処理部２７を備えている点で異なる。
【００５０】
変換処理部２７は、例えば、前述の放送受信装置Ａの説明において述べたＤＬＮＡ／ＤＴＣＰ−ＩＰサーバ機能を備えたものであり、暗号化・復号化のための鍵情報に基づいてコンテンツを復号化する復号化処理プログラム、および、ＤＬＮＡ／ＤＴＣＰ−ＩＰ規格に従って、コンテンツの著作権保護のために設定されたアクセス制限情報をｉＶＤＲ規格におけるアクセス制限情報に変換する変換処理プログラムから構成されるものである。ＤＬＮＡ／ＤＴＣＰ−ＩＰの規格に基づくアクセス制限情報にはコンテンツをコピーする場合に許可されるコピー回数（１回のみ、指定された回数コピー可能など）、再生制限機器のＩＤやメーカー名、機種名などの機器情報が含まれている。このアクセス制限情報をｉＶＤＲ規格におけるアクセス制限情報に変換する場合、機器情報は除外される。
【００５１】
また、コンテンツに付随する放送日時の情報、番組名、番組概要、番組のジャンルなどの付加情報も変換処理部２７によりＤＬＮＡ／ＤＴＣＰ−ＩＰの規格に基づいた情報からｉＶＤＲ規格に基づいた情報に変換され、録画再生制御部２５に送られる。
【００５２】
すなわち、本発明に係る電子機器においては、変換処理部２７により、ネットワークを介してｉＶＤＲ規格と異なる規格、例えば、ＤＬＮＡ／ＤＴＣＰ−ＩＰ規格に従って記録されたコンテンツを復号化するとともにコンテンツに付加されているアクセス制限情報をｉＶＤＲ規格におけるアクセス制限情報に変換して、録画再生制御部２５に出力し、チューナを介して受信したコンテンツと同様にして録画再生制御部２５によりハードディスクに記録することができる。
【００５３】
また、チューナ２１を介して取得したコンテンツを、録画再生制御部２５を介して変換処理部２７に送り、変換処理部２７において、上記と逆の処理、すなわち、録画再生制御部２５から送られたコンテンツを、ｉＶＤＲ規格と異なる規格、例えば、ＤＬＮＡ／ＤＴＣＰ−ＩＰの規格に基づいた鍵を用いて暗号化し、ネットワーク接続部を介して接続したＤＬＮＡ／ＤＴＣＰ−ＩＰの規格に準拠したＬＡＮＨＤＤなどを記録先としてコンテンツを記録させることができる。その際、ｉＶＤＲの規格に基づいたアクセス制限情報も、ＤＬＮＡ／ＤＴＣＰ−ＩＰの規格に基づいたアクセス制限情報に変換され、暗号化されたコンテンツに付加されるからコピー回数等の著作権保護の機能が損なわれることはない。
【００５４】
次に、変換処理部２７を用いてＤＬＮＡ／ＤＴＣＰ−ＩＰに準拠した録画装置などの電子機器に記録されたコンテンツやＤＬＮＡ／ＤＴＣＰ−ＩＰに準拠した録画装置などの電子機器によりＵＳＢＨＤＤに記録されたコンテンツをカートリッジ１００に記録する際の変換処理部２７における処理の手順について説明する。
【００５５】
ユーザは、ネットワーク接続部２３を介してＤＬＮＡ／ＤＴＣＰ−ＩＰに準拠した録画装置などの電子機器、あるいは、当該電子機器によりコンテンツが記録されたＵＳＢＨＤＤ（ＤＬＮＡ／ＤＴＣＰ−ＩＰクライアント）を電子機器２０に接続し、所望のコンテンツを変換処理部２７に取り込む。変換処理部２７に取り込まれたコンテンツはＤＬＮＡ／ＤＴＣＰ−ＩＰの規格に従って暗号化されたものである。また、当該コンテンツにＤＬＮＡ／ＤＴＣＰ−ＩＰの規格に従ったアクセス制限情報が付加されている場合には、当該アクセス制限情報も取り込まれる。
【００５６】
変換処理部２７は、先に説明したように、ＤＬＮＡ／ＤＴＣＰ−ＩＰサーバ機能を備えたものであり、暗号化・復号化のための鍵情報に基づいてコンテンツを復号化する復号化処理プログラムを備えているから、ＤＬＮＡ／ＤＴＣＰ−ＩＰクライアントから取得した暗号化されたコンテンツを復号化するための鍵の情報は保有しており、コンテンツを復号化することができる。
【００５７】
また、変換処理部２７は、ＤＬＮＡ／ＤＴＣＰ−ＩＰ規格に従って、コンテンツの著作権保護のために設定されたアクセス制限情報をｉＶＤＲ規格におけるアクセス制限情報に変換する変換処理プログラムを備えているから、ＤＬＮＡ／ＤＴＣＰ−ＩＰクライアントから取得したコンテンツに付加されているアクセス制限情報をｉＶＤＲ規格におけるアクセス制限情報に変換することができる。ｉＶＤＲ規格においては機器による制限はないのでアクセス制御情報に含まれる機器情報は不用であり変換の必要はない。変換されるのはコピー回数などの制限情報である。
【００５８】
変換処理部２７によって復号化されたコンテンツと、ｉＶＤＲ規格に従ったアクセス制限情報に変換された情報とが録画再生制御部２５に送られると、録画再生処理部２５は、コンテンツをｉＶＤＲの規格によって定められた暗号化の鍵情報を用いてコンテンツを暗号化し、アクセス制限情報を付加してカートリッジ１００に記録することができる。このような処理によってカートリッジ１００に記録されたコンテンツは、ｉＶＤＲ規格に従ったものであるから機器互換が可能である。従って、ユーザはカートリッジ１００を取り外し、他のｉＶＤＲ機器に装着してカートリッジ１００に記録されている任意のコンテンツを再生することができる。また、アクセス制限情報に従って、複数回のコピーが許可されているコンテンツについては、他のｉＶＤＲ機器にさらに保存（コピー）することもできる。
【００５９】
また、変換処理部２７は、ＤＬＮＡ／ＤＴＣＰ−ＩＰサーバ機能を備えたものであり、暗号化・復号化のための鍵情報に基づいてコンテンツを暗号化する暗号化処理プログラムを備えているから、放送波を受信し、チューナ２１を介して取得したコンテンツを、録画再生制御部２５を介して変換処理部２７に送り、ＤＬＮＡ／ＤＴＣＰ−ＩＰの規格に基づいた鍵を用いて暗号化し、ネットワーク接続部を介して接続したＤＬＮＡ／ＤＴＣＰ−ＩＰの規格に準拠したＬＡＮＨＤＤなどを記録先として該コンテンツを記録させることができる。その際、ｉＶＤＲの規格に基づいたアクセス制限情報も、ＤＬＮＡ／ＤＴＣＰ−ＩＰの規格に基づいたアクセス制限情報に変換され、暗号化されたコンテンツに付加される。このようにすれば、コピー回数等の著作権保護の機能を損なうことなく、ＤＬＮＡ／ＤＴＣＰ−ＩＰの規格に準拠したＬＡＮＨＤＤなどの記録媒体に、放送を受信して取得したコンテンツを直接記録することができるようになる。
【００６０】
なお、以上の説明において、変換処理部２７はＤＬＮＡ／ＤＴＣＰ−ＩＰサーバ機能を備えたものを例にして説明したが、本発明はこれに限られるものではない。ＤＬＮＡ／ＤＴＣＰ−ＩＰの規格でない他のコンテンツ保護の規格、あるいは、メーカーが独自に採用するローカルの暗号化方式、アクセス制限方式に対応する変換処理部２７を備える構成とすることもできる。また、複数の規格、ローカル規格に対応できるように構成することもできる。
【符号の説明】
【００６１】
１００    カートリッジ
１０１    ハウジング
１０２    カートリッジ側コネクタ
１０３    ガイドレール
１０４    凹部
２０      電子機器
２１      チューナ
２２      ｉＶＤＲ装着部
２３      ネットワーク接続部
２４      視聴制御部
２５      録画再生制御部
２６      ＷＥＢブラウザ
２７      変換処理部
２８      映像音声出力部
【図１】
2012034153.tif 000003
【図２】
2012034153.tif 000004
【図３】
2012034153.tif 000005
【図４】
2012034153.tif 000006
【図５】
2012034153.tif 000007
【図６】
2012034153.tif 000008
【図７】
2012034153.tif 000009